(57)【要約】【課題】従来の火災受信機では、ユーザの要望により、火災受信機に機能を追加する場合に、追加する機能を実現するための部品を追加する必要があり、追加する部品を取り付けることができる火災受信機の筐体を新規に設計し、板金を製作しなければならなかった。【解決手段】略箱体をなし、前面が開口した筐体本体と、筐体本体に開閉自在に装着された扉と、を有する火災受信機において、火災受信機の機能ごとに区分したユニットを構成する部品を取り付けるための取付部と筐体本体に装着するための装着部を有する取付具と、筐体本体は複数の取付具を装着するための取付具装着部を有する装着具と、を内部に収容した。【選択図】図１
2012089034.tif 000002
【特許請求の範囲】
【請求項１】
略箱体をなし、前面が開口した筐体本体と、前記筐体本体に開閉自在に装着された扉と、を有する火災受信機において、該火災受信機の機能ごとに区分したユニットを構成する部品を取り付けるための取付部と前記筐体本体に装着するための装着部を有する取付具と、前記筐体本体は複数の前記取付具を装着するための取付具装着部を有する装着具と、を内部に収容したことを特徴とする火災受信機。
【請求項２】
前記取付具は、複数種類の部品の取り付けに対応した位置に前記取付部を備えたことを特徴とする請求項１の火災受信機。
【請求項３】
前記装着具は、平行に配置された略Ｌ字状に前記筐体本体の背面から突出した一対のレールまたは一対の筒状のパイプであることを特徴とする請求項１または請求項２の火災受信機。
【請求項４】
本体フレームと、該本体フレームに前記本体フレームの一方の開口部を開閉自在に装着された扉と、を有する火災受信機において、該火災受信機の機能ごとに区分したユニットを構成する部品を取り付けるための取付部と前記本体フレームに装着するための装着部を備えた背板と、前記本体フレームの他方の開口部に複数の前記背板を取り付けるための背板装着部と、を備えたことを特徴とする火災受信機。
【請求項５】
前記背板は、複数種類の部品に対応した位置に前記取付部を備えたことを特徴とする請求項４の火災受信機。
【発明の詳細な説明】
【技術分野】
【０００１】
本発明は、火災検出信号を受信して火災警報を行う火災受信機に関するものであり、特に製造を容易にするものである。
【背景技術】
【０００２】
プリント基板等の火災受信機を構成する部品を筐体本体に固定する火災受信機が知られている。（例えば、特許文献１参照）。
【先行技術文献】
【特許文献】
【０００３】
【特許文献１】特開平０９−６９１９７号公報
【発明の概要】
【発明が解決しようとする課題】
【０００４】
しかしながら、このような従来の火災受信機では、ユーザの要望により、火災受信機に機能を追加する場合に、追加する機能を実現するための部品を追加する必要があり、追加する部品を取り付けることができる火災受信機の筐体を新規に設計し、板金を製作しなければならなかった。また製造段階においては、追加部品ありの火災受信機と、追加部品なしの火災受信機の筐体を別に管理しなければならなかった。そのため、生産効率が悪く、また、管理も大変であった。
【０００５】
本発明は、上記のような課題を解決するためになされたもので、火災受信機の筐体は変更なしに、追加した機能のための部品を容易に取り付けることができる火災受信機を提供するものである。
【課題を解決するための手段】
【０００６】
本発明に係わる火災受信機は、略箱体をなし、前面が開口した筐体本体と、筐体本体に開閉自在に装着された扉と、を有する火災受信機において、火災受信機の機能ごとに区分したユニットを構成する部品を取り付けるための取付部と筐体本体に装着するための装着部を有する取付具と、筐体本体は複数の前記取付具を装着するための取付具装着部を有する装着具とを内部に収容するものである。
【０００７】
本発明に係わる火災受信機の取付具は、複数種類の部品の取り付けに対応した位置に取付部を備えるものである。
【０００８】
本発明に係わる火災受信機の装着具は、平行に配置された略Ｌ字状に筐体本体の背面から突出した一対のレールまたは一対の筒状のパイプである。
【０００９】
本発明に係わる火災受信機は、本体フレームと、本体フレームに本体フレームの一方の開口部を開閉自在に装着された扉と、を有する火災受信機において、火災受信機の機能ごとに区分したユニットを構成する部品を取り付けるための取付部と本体フレームに装着するための装着部を備えた背板と、本体フレームの他方の開口部に複数の背板を取り付けるための背板装着部と、を備えたものである。
【００１０】
本発明に係わる火災受信機の背板は、複数種類の部品に対応した位置に取付部を備えたものである。
【発明の効果】
【００１１】
本発明に係わる火災受信機は、略箱体をなし、前面が開口した筐体本体と、筐体本体に開閉自在に装着された扉と、を有する火災受信機において、火災受信機の機能ごとに区分したユニットを構成する部品を取り付けるための取付部と筐体本体に装着するための装着部を有する取付具と、筐体本体は、複数の取付具を装着するための取付具装着部を有する装着具と、を内部に収容するため、火災受信機の機能ごとに区分したユニットを構成する電気部品等を取り付けた取付具を、ユーザの要望する機能に応じて、筐体本体に装着するため、筐体を複数製作する必要がない。また、筐体およびユニットを構成する部品を取り付けた取付具をロット生産できる。そのため、生産効率が良く、管理が容易であり、新規に筐体を設計する必要もないため、ユーザの要望に早急に応じられる。
【００１２】
本発明に係わる火災受信機の取付具は、複数種類の部品の取り付けに対応した位置に取付部を備えるため、取付具をいくつかの部品または機能ユニットに共通のものとしたので取付具の種類を減らすことができ、生産効率が良い。
【００１３】
本発明に係わる火災受信機の装着具は、平行に配置された略Ｌ字状に筐体本体の背面から突出した一対のレールまたは一対の筒状のパイプであるため、装着具が簡単な構造であり、生産効率が良い。
【００１４】
本発明に係わる火災受信機は、本体フレームと、該本体フレームに前記本体フレームの一方の開口部を開閉自在に装着された扉と、を有する火災受信機において、火災受信機の機能ごとに区分したユニットを構成する部品を取り付けるための取付部と前記本体フレームに装着するための装着部を備えた背板と、本体フレームの他方の開口部に複数の背板を取り付けるための背板装着部と、を備えるため、火災受信機の機能ごとに区分したユニットを構成する電気部品等を取り付けた背板を、ユーザの要望する機能に応じて、本体フレームに装着することができるため、本体フレームおよびユニットを構成する部品を取り付けた背板をロット生産できる。そのため、生産効率が良く、管理が容易である。また、新規に筐体を設計する必要もないため、ユーザの要望に早急に応じられる。また、筐体を形成する背板に部品を取り付けるため、部品を取り付けるための構成を別途製作する必要が無く、コストに優れる。
【００１５】
本発明に係わる火災受信機の背板は、複数種類の部品に対応した位置に取付部を備えるため、背板をいくつかの部品または機能ブロックに共通のものとしたので、背板の種類を減らすことができ、生産効率が良い。
【図面の簡単な説明】
【００１６】
【図１】実施の形態１に係わる火災受信機の扉を開放した状態の構造を説明する斜視図である。
【図２】実施の形態１に係わる火災受信機の筐体本体の正面図である。
【図３】実施の形態１に係わる火災受信機の筐体本体の図２におけるＡ−Ａ断面図である。
【図４】実施の形態１に係わる火災受信機の機能を説明するブロック図である。
【図５】実施の形態１に係わる火災受信機の機能ごとに区分したユニットを構成する部品を取り付けた取付具を示す図である。
【図６】実施の形態１に係わる火災受信機の変形例を説明する筐体本体の断面図である。
【図７】実施の形態２に係わる火災受信機の扉を開放した状態の構造を説明する斜視図である。
【図８】実施の形態２に係わる火災受信機の背板を説明する図である。
【図９】実施の形態２に係わる火災受信機の変形例の背板を説明する図である。
【図１０】実施の形態２に係わる火災受信機の変形例を説明する斜視図である。
【発明を実施するための形態】
【００１７】
本実施の形態１について図１〜６に基づいて説明する。
【００１８】
図１は、本実施の形態１に係わる火災受信機ＦＡの扉を開放した状態の斜視図であり、この火災受信機ＦＡは、前面が開口した筐体本体１と、筐体本体１に開閉自在に装着された扉２により、略箱体の筐体が構成されている。筐体内部には、火災受信機ＦＡを制御するためのプリント基板やＡＣ／ＤＣ電源等の火災受信機の機能ごとに区分したユニットを構成する部品を取り付けるための取付具である取付板３が、筐体本体１の内部の背面４に、鉛直方向に平行に設けられた装着具である略Ｌ字状の一対のレール５に取り付けられ、背面４から突出させることで所定の間隔をあけるように、固定されている。扉２には、開口部６が設けられていて、扉２を閉じたときユーザが警報を確認したり、操作を行ったりするための表示操作ユニットが筐体の外部に露出するようになっている。
【００１９】
図２は、本実施の形態１に係わる火災受信機ＦＡの筐体本体の正面図であり、筐体本体１の背面４から突出した略Ｌ字状のレール５には、取付板３を装着するための取付具装着部であるネジ孔７が所定の間隔で複数設けられている。取付板３に装着部である孔８がネジ孔７と同じ間隔で設けられており、ネジ孔７と孔８の位置を合わせてネジ９により取付板３を略Ｌ字状のレール５に装着できる。また、取付板３には、プリント基板等の部品を取り付けるための取付部である取付孔１０が適宜に設けられている。
【００２０】
図３は、図２におけるＡ−Ａ断面図である。略Ｌ字状のレール５は、溶接により背面４に溶着して筐体本体１と一体に形成しても良いが、図３のように略コ字状に形成したレール５を背面４にネジ１１により装着して背面４から略Ｌ字状に突出するようにすれば、筐体本体１と別々に塗装できるため、塗装が容易であり製造が容易である。また、背面４とレール５の接触面積が大きいため、筐体本体１との固定が容易であり強度に優れる。
【００２１】
図４は火災受信機の機能を説明するブロック図である。火災受信機ＦＡは、基本的な構成として、制御基板２１、伝送基板２２、表示操作基板２３、電源基板２４等のプリント基板と、ＡＣ／ＤＣ電源２５、電池２６、トランス２７、充電抵抗２８等の電気部品により構成される。
【００２２】
制御基板２１は、伝送基板２２、表示操作基板２３を含む火災受信機ＦＡの全体の制御を行う。伝送基板２２は、図示しない信号線ＳＧを介して、端末機器と呼ばれる図示しない光電式煙感知器や熱式感知器や防排煙用中継器と接続され通信を行っている。光電式煙感知器や熱式感知器は、火災を検出する機器であり、防排煙用中継器は、火災受信機ＦＡからの制御により火災の延焼を防ぐ防火扉やシャッタ等の防排煙装置を作動させる機器である。
【００２３】
伝送基板２２には、１枚あたり２５５台の端末機器が接続でき、２５５台を超える端末機器を接続する場合には、２５５台ごとに伝送基板２２を１枚追加することによって、火災受信機ＦＡに接続できる端末機器の数を増やすことができる。図４は伝送基板２２が２枚とされた例である。
【００２４】
図５は、火災受信機の機能ごとに区分したユニットを構成する部品を取り付けた取付具を示す図である。
【００２５】
取付板３には、様々なユニットを構成する部品を取り付けられるように取付孔１０が適宜に設けられている。制御ユニットの基板は、制御基板２１と伝送基板２２が各１枚で構成され、図５（ａ）に示すように、取付孔１０ａに取り付けられる。なお、図５（ａ）〜（ｅ）においては、どの取付孔で固定されているかがわかりやすくするために、基板や部品の外形だけを点線で示す。伝送ユニットとして、伝送基板２２は図５（ｂ）に示すように取付板３の取付孔１０ｂに取り付けられる。
【００２６】
表示操作基板２３は、火災または故障が発生したとき、火災または故障の発生を報知するための音響を鳴動するブザーやスピーカー等と、発光表示するＬＥＤやＬＣＤ等の表示部と、火災または故障を報知している状態から通常の監視状態に戻すスイッチや音響を停止するスイッチ等を備えている。表示操作基板２３により表示操作ユニットが構成され、図５（ｃ）に示すように取付板３の取付孔１０ｃに取り付けられる。
【００２７】
電源基板２４には、ＡＣ／ＤＣ電源２５と電池２６とトランス２７と充電抵抗２８が接続されている。電源基板２４は、受電した商用電源（ＡＣ１００Ｖ）をＡＣ／ＤＣ電源２５とトランス２７に供給する。
【００２８】
電源基板２４は、ＡＣ／ＤＣ電源２５の直流電源を監視していて、直流電源の電圧が低下したとき、制御基板２１に電源異常を通知するとともに、ＡＣ／ＤＣ電源２５から電池２６に電源の供給元を切り替え、停電またＡＣ／ＤＣ電源故障のときにも火災受信機ＦＡが動作するようにしている。
【００２９】
ＡＣ／ＤＣ電源２５は、商用電源（ＡＣ１００Ｖ）を、火災受信機ＦＡが動作するために必要な直流電源（例えばＤＣ２４Ｖ）に変換して、電源基板２４に供給する。電源基板２４は、供給された直流電源を各基板に供給し、またシャッタ等を作動させるための電源として、図示しない電源線ＤＧにより防排煙用中継器に供給する。ここで、ＡＣ／ＤＣ電源２５は、接続される端末機器の台数、つまり伝送基板２２の枚数によって、直流電源の供給電力が異なり、その大きさも異なる。例えば、供給電力が５０Ｗの場合は、大きさが横３３ｍｍ×縦１１０ｍｍであり、供給電力が１００Ｗの場合は、大きさが横３３ｍｍ×縦１４７ｍｍである。
【００３０】
トランス２７は、商用電源（ＡＣ１００Ｖ）を、電池２６の充電のために電池充電交流電圧（例えばＡＣ５６Ｖ）に変圧して、電源基板２４に供給する。電源基板２４は、供給された電池充電交流電圧を電源基板２４に搭載された図示しないダイオードで充電電源として半波整流する。充電電源は、充電抵抗２８によって充電電流として電流が限流された状態で電池２６に供給され、電池２６が充電される。ここで電池２６は、ＡＣ／ＤＣ電源２５と同様に、接続される端末機器の台数によって電池容量が異なり、電池容量によって、充電電流が異なるため、トランス２７と充電抵抗２８の大きさが異なる。例えば、電池２６の電池容量が６Ａｈの場合は、トランス２７の容量が１５ＶＡで大きさが横４０ｍｍ×縦４０ｍｍ、充電抵抗２８が２００Ω、１５Ｗで、大きさが横３０ｍｍ×縦１００ｍｍであり、電池２６の電池容量が１０Ａｈの場合は、トランス２７の容量が２０ＶＡで大きさが横５０ｍｍ×縦５０ｍｍ、充電抵抗２８が１２０Ω、２０Ｗで、大きさが横３０ｍｍ×縦１５０ｍｍとなる。
【００３１】
電源基板２４、ＡＣ／ＤＣ電源２５、電池２６、トランス２７、充電抵抗２８により電源ユニットが構成され、図５（ｄ）に示すように取付板３の取付孔１０ｄに取り付ける。また、図５（ｅ）には、図５（ｄ）の場合よりも、ＡＣ／ＤＣ電源２５と電池２６の容量が小さいときの取付板３の取付孔を取付孔１０ｅで示す。
【００３２】
火災受信機ＦＡは、上記の構成により火災の監視を行っており、伝送基板２２が光電式煙感知器または熱式感知器から火災信号を受信すると、伝送基板２２は、制御基板２１に通知する。通知を受けると制御基板２１は、火災の情報を表示操作基板２３で火災発生を表示させ火災を報知するとともに、伝送基板２２に防排煙用中継器に防火扉やシャッタ等の防排煙装置を作動させるための制御命令を出し、防排煙用中継器により電源基板２４から供給された直流電源を防排煙装置に印加することで、防排煙装置を作動させて火災の延焼を防ぐ。このとき、電源基板２４から供給できる直流電源は防排煙用中継器１台分であり、複数の防排煙用中継器により防排煙装置を作動させる場合は、制御命令を防排煙用中継器１台ずつ時間分割して出すことにより、動作に多くの電流を必要とする防排煙用装置を１台ずつ、順次動作させて、同時に大電流を流さないようにしている。これは、火災受信機ＦＡの最小機能として制限することでコストを抑えるためである。
【００３３】
しかしながら、大空間を遮断して延焼を防ぐために多くの防排煙用装置を作動させなければならない場合は、大空間の遮断を早めるために、ユーザの要望によっては、防排煙装置を複数台同時に作動させる必要があり、その場合には電源基板２４から供給する電源では足りないため、防排煙用電源ユニットを追加して供給できる電流を増やして対応する。防排煙用電源ユニットは、防排煙用電源基板２９と、防排煙用電源基板２９に接続された防排煙用ＡＣ／ＤＣ電源３０と防排煙用電池３１と防排煙用トランス３２と防排煙用充電抵抗３３とで構成される。
【００３４】
防排煙用電源基板２９の動作は、電源基板２４と同様であり、防排煙用電源基板２９は、受電した商用電源（ＡＣ１００Ｖ）を防排煙用ＡＣ／ＤＣ電源３０と防排煙用トランス３２に供給し、防排煙用ＡＣ／ＤＣ電源３０は、商用電源（ＡＣ１００Ｖ）を、防排煙用装置が動作するために必要な直流電源（例えばＤＣ２４Ｖ）に変換して、防排煙用電源基板２９に供給する。防排煙用電源基板２９は、図示しない電源線ＤＧにより防排煙用中継器に直流電源を供給する。
【００３５】
防排煙用トランス３２は、商用電源（ＡＣ１００Ｖ）を、防排煙用電池３１の充電のために電池充電交流電圧（例えばＡＣ５６Ｖ）に変圧して、防排煙用電源基板２９に供給する。防排煙用電源基板２９は、供給された電池充電交流電圧を防排煙用電源基板２９に搭載された図示しないダイオードで充電電源として半波整流する。充電電源は、防排煙用充電抵抗３３を介して充電電流として電流が限流された状態で防排煙用電池３１に供給され、防排煙用電池３１を充電する。
【００３６】
防排煙用ＡＣ／ＤＣ電源３０、防排煙用電池３１、防排煙用トランス３２、防排煙用充電抵抗３２は、電源ユニット同様に適宜容量が選択され、選択された部品の大きさにより、図５（ｄ）の取付孔１０ｄまたは図５（ｅ）の取付板３の取付孔１０ｅのどちらかに取り付けられる。
【００３７】
本実施の形態１では、追加機能の説明の例として、防排煙用電源ユニットを挙げたが、そのほかにも、火災や故障の状態を他の設備へ知らせるために信号出力をする移報ユニットなど様々な追加ユニットが用意されており、ユーザの要望に応じて容易に組み込むことができる。
【００３８】
また、本実施の形態１では、装着具として略Ｌ字状の一対のレール５を例に説明したが、本実施の形態１の変形例として、図６の火災受信機の筐体本体の断面図に示すように、略Ｌ字状のレール５を筒状の一対のパイプ４０に置き換えることもできる。
【００３９】
また、本実施の形態１では、取付板３を略Ｌ字状のレール５に装着する方法として、取付板３の孔８と略Ｌ字状のレール５のネジ孔７をネジ９によって固定することを例に説明したが、取付板３と、略Ｌ字状のレール５との装着方法はそれに制限するものではなく、例えば、略Ｌ字状のレール５または取付板３の一方にフックを設け、他方にフック受けを設け、それにより取付板３を略Ｌ字状のレール５に装着することができるほか、様々な方法で装着することができる。
【００４０】
上記のように、略箱体をなし、前面が開口した筐体本体と、筐体本体に開閉自在に装着された扉と、を有する火災受信機において、火災受信機の機能ごとに区分したユニットを構成する部品を取り付けるための取付部と筐体本体に装着するための装着部を有する取付具と、筐体本体は複数の取付具を装着するための取付具装着部を有する装着具と、を内部に収容するため、火災受信機の機能ごとに区分したユニットを構成する電気部品等を取り付けた取付具を、ユーザの要望する機能に応じて、筐体本体に装着するため、筐体を複数製作する必要がない。また、筐体およびユニットを構成する部品を取り付けた取付具をロット生産できる。そのため、生産効率が良く、管理が容易であり、新規に筐体を設計する必要もないため、ユーザの要望に早急に応じられる。
【００４１】
また、取付具は、複数種類の部品の取り付けに対応した位置に取付部を備えるため、取付具をいくつかの部品または機能ユニットに共通のものとしたので取付具の種類を減らすことができ、生産効率が良い。
【００４２】
また、装着具は、平行に配置されたＬ字状に突出したレールまたは筒状のパイプであるため、装着具が簡単な構造であり、生産効率が良い。
【００４３】
次に、本実施の形態２について、図７〜１０に基づいて説明する。
【００４４】
前述の実施の形態１では、火災受信機の機能ごとに区分したユニットを構成する電気部品等を取り付けた取付具を、筐体本体の背面から略Ｌ字状に背面から突出した装着具に装着する例を示した。本実施の形態２では、火災受信機の機能ごとに区分したユニットを構成する電気部品等を取り付けた背板を、本体フレームに装着する例を示す。なお、本実施の形態２では、前述の実施の形態１との相違点を中心に説明し、実施の形態１と同一または対応する構成要素には同一の符号を付す。
【００４５】
図７は、本実施の形態２に係わる火災受信機ＦＡの扉を開放した状態の斜視図であり、この火災受信機ＦＡは、本体フレーム５０と、本体フレームの一方の開口部を開閉自在に装着された扉５１と、本体フレーム５０の他方の開口部に取り付けされた複数の背板５２により、略箱体の筐体が構成されている。
【００４６】
背板５２は、火災受信機ＦＡを制御するためのプリント基板やＡＣ／ＤＣ電源等の火災受信機の機能ごとに区分したユニットを構成する部品を取り付けるための取付部である取付孔５３と本体フレーム５０に装着するための装着部である孔５４が設けられている。
【００４７】
背板５２は、背板５２の孔５４と、本体フレーム５０の他方の開口部の周縁の本体フレーム５０を強固にするための折部５５に設けられた背板装着部であるネジ孔５６との位置を合わせてネジで固定されている。扉５１には、開口部５７が設けられていて、扉５１を閉じたときにユーザが警報を確認したり、操作を行ったりするための表示操作ユニットが筐体の外部に露出するようになっている。
【００４８】
火災受信機ＦＡの基本的な構成は、前述の実施の形態１と同様であり、制御基板２１、伝送基板２２、表示操作基板２３、電源基板２４等のプリント基板と、ＡＣ／ＤＣ電源２５、電池２６、トランス２７、充電抵抗２８等の電気部品により構成される。
【００４９】
背板５２に設けられた取付孔５３は、図８に示すように、前述の実施の形態１の取付板３と同様に、様々なユニットを構成する部品を取り付けられるように適宜に設けられている。なお、図８は、取付孔５３のうちの５３ａに制御ユニットを構成する制御基板２１と１枚の伝送基板２２が取り付けられた状態である。その他のユニットを構成する部品の取り付け方は、前述の実施の形態１と同様であり、図５（ｂ）〜図５（ｅ）のように取り付ける。
【００５０】
本実施の形態２では、本体フレーム５０を強固にするための折部５５に背板装着部であるネジ孔５６により背板５２を装着したが、本体フレームへの背板の装着方法はこれに制限するものではない。例えば、本体フレームを強固にするための折部５５を設けない場合には、図９に示すように背板５８の一部を折り曲げた取付具折部５９に装着部であるネジ孔６０を設け、図１０に示すように本体フレーム５０の他の開口部付近に設けた背板装着部である孔６１の位置を合わせてネジで固定するようにできるほか、様々な方法で装着することができる。
【００５１】
上記のように、本体フレームと、本体フレームに本体フレームの一方の開口部を開閉自在に装着された扉と、を有する火災受信機において、火災受信機の機能ごとに区分したユニットを構成する部品を取り付けるための取付部と本体フレームに装着するための装着部を備えた背板と、本体フレームは他方の開口部に複数の背板を取り付けるための背板装着部と、を備えるため、火災受信機の機能ごとに区分したユニットを構成する電気部品等を取り付けた背板を、ユーザの要望する機能に応じて、本体フレームに装着することができるため、本体フレームおよびユニットを構成する部品を取り付けた背板をロット生産できる。そのため、生産効率が良く、管理が容易である。また、新規に筐体を設計する必要もないため、ユーザの要望に早急に応じられる。また、筐体を形成する背板に部品を取り付けるため、部品を取り付けるための構成を別途製作する必要が無く、コストに優れる。
【００５２】
また、背板は、複数種類の部品に対応した位置に取付部を備えるため、背板をいくつかの部品または機能ブロックに共通のものとしたので、背板の種類を減らすことができ、生産効率が良い。
【符号の説明】
【００５３】
ＦＡ  火災受信機
１  筐体本体、２  扉、３  取付板、４  背面、５  略Ｌ字状のレール、６  開口部、７  ネジ孔、８  孔、９  ネジ、１０  取付孔、１１  ネジ、４０  筒状のパイプ、５０  本体フレーム、５１  扉、５２  背板、５３  取付孔、５４  孔、５５  折部、５６  ネジ孔、５７  開口部、５８  背板、５９  取付具折部、６０  ネジ孔、６１  孔
【図３】
2012089034.tif 000003
【図４】
2012089034.tif 000004
【図５】
2012089034.tif 000005
【図６】
2012089034.tif 000006
【図７】
2012089034.tif 000007
【図８】
2012089034.tif 000008
【図９】
2012089034.tif 000009
【図１０】
2012089034.tif 000010
【図１】
2012089034.tif 000011
【図２】
2012089034.tif 000012